(57)【要約】  【課題】部品の回転軸体からの脱落を適切に防止できる農作業機を提供する。  【解決手段】農作業機１は、外周面にねじ溝31を形成したねじ軸部32を有する耕耘軸体21を備える。耕耘軸体21のねじ軸部32の近傍の外周にはスプロケット35を設ける。２つのナット体36を互いに締め合わせた状態でねじ軸部32のねじ溝31に螺着し、スプロケット35の耕耘軸体21からの脱落を防止する。  【選択図】図２
2005333916.tif 000002
【特許請求の範囲】
【請求項１】
外周面にねじ溝が形成されたねじ軸部を有する回転軸体と、
この回転軸体に設けられた伝動体と、
隣接するもの同士が互いに締め合わされた状態で前記ねじ軸部の前記ねじ溝に螺着され、前記伝動体の前記回転軸体からの脱落を防止する複数のナット体と
を備えることを特徴とする農作業機。
【請求項２】
外周面にねじ溝が形成されたねじ軸部を有する回転軸体と、
この回転軸体に設けられた軸受体と、
隣接するもの同士が互いに締め合わされた状態で前記ねじ軸部の前記ねじ溝に螺着され、前記軸受体の前記回転軸体からの脱落を防止する複数のナット体と
を備えることを特徴とする農作業機。
【請求項３】
外周面にねじ溝が形成されたねじ軸部を軸方向両端部に有する回転軸体と、
この回転軸体の軸方向一端部近傍に設けられた伝動体と、
隣接するもの同士が互いに締め合わされた状態で前記回転軸体の軸方向一端部に位置する前記ねじ軸部の前記ねじ溝に螺着され、前記伝動体の前記回転軸体からの脱落を防止する複数の第１ナット体と、
前記回転軸体の軸方向他端部近傍に設けられた軸受体と、
隣接するもの同士が互いに締め合わされた状態で前記回転軸体の軸方向他端部に位置する前記ねじ軸部の前記ねじ溝に螺着され、前記軸受体の前記回転軸体からの脱落を防止する複数の第２ナット体と
を備えることを特徴とする農作業機。
【発明の詳細な説明】
【技術分野】
【０００１】
本発明は、部品の回転軸体からの脱落を適切に防止できる農作業機に関するものである。
【背景技術】
【０００２】
従来、例えば外周面にねじ溝が形成されたねじ軸部を軸方向端部に有する耕耘軸体と、耕耘軸体の軸方向端部近傍の外周にスプライン嵌合により配設されたスプロケットと、耕耘軸体のねじ軸部のねじ溝に螺着され回り止め座金で回り止めされた１つのスプロケット脱落防止用のナット体とを備えた農作業機が知られている（例えば、特許文献１参照）。
【特許文献１】実開昭５４−７６１０３号公報
【発明の開示】
【発明が解決しようとする課題】
【０００３】
しかしながら、上記従来の農作業機では、例えば回り止め座金の損傷でナット体が緩み、スプロケットが耕耘軸体から脱落するおそれがある。
【０００４】
本発明は、このような点に鑑みなされたもので、部品の回転軸体からの脱落を適切に防止できる農作業機を提供することを目的とする。
【課題を解決するための手段】
【０００５】
請求項１記載の農作業機は、外周面にねじ溝が形成されたねじ軸部を有する回転軸体と、この回転軸体に設けられた伝動体と、隣接するもの同士が互いに締め合わされた状態で前記ねじ軸部の前記ねじ溝に螺着され、前記伝動体の前記回転軸体からの脱落を防止する複数のナット体とを備えるものである。
【０００６】
そして、複数のナット体が隣接するもの同士が互いに締め合わされた状態でねじ軸部のねじ溝に螺着されているため、伝動体の回転軸体からの脱落を適切に防止可能である。
【０００７】
請求項２記載の農作業機は、外周面にねじ溝が形成されたねじ軸部を有する回転軸体と、この回転軸体に設けられた軸受体と、隣接するもの同士が互いに締め合わされた状態で前記ねじ軸部の前記ねじ溝に螺着され、前記軸受体の前記回転軸体からの脱落を防止する複数のナット体とを備えるものである。
【０００８】
そして、複数のナット体が隣接するもの同士が互いに締め合わされた状態でねじ軸部のねじ溝に螺着されているため、軸受体の回転軸体からの脱落を適切に防止可能である。
【０００９】
請求項３記載の農作業機は、外周面にねじ溝が形成されたねじ軸部を軸方向両端部に有する回転軸体と、この回転軸体の軸方向一端部近傍に設けられた伝動体と、隣接するもの同士が互いに締め合わされた状態で前記回転軸体の軸方向一端部に位置する前記ねじ軸部の前記ねじ溝に螺着され、前記伝動体の前記回転軸体からの脱落を防止する複数の第１ナット体と、前記回転軸体の軸方向他端部近傍に設けられた軸受体と、隣接するもの同士が互いに締め合わされた状態で前記回転軸体の軸方向他端部に位置する前記ねじ軸部の前記ねじ溝に螺着され、前記軸受体の前記回転軸体からの脱落を防止する複数の第２ナット体とを備えるものである。
【００１０】
そして、複数の第１ナット体が隣接するもの同士が互いに締め合わされた状態で回転軸体の軸方向一端部に位置するねじ軸部のねじ溝に螺着されているため、伝動体の回転軸体からの脱落を適切に防止可能であるとともに、複数の第２ナット体が隣接するもの同士が互いに締め合わされた状態で回転軸体の軸方向他端部に位置するねじ軸部のねじ溝に螺着されているため、軸受体の回転軸体からの脱落を適切に防止可能である。
【発明の効果】
【００１１】
請求項１に係る発明によれば、複数のナット体が隣接するもの同士が互いに締め合わされた状態でねじ軸部のねじ溝に螺着されているため、伝動体の回転軸体からの脱落を適切に防止できる。
【００１２】
請求項２に係る発明によれば、複数のナット体が隣接するもの同士が互いに締め合わされた状態でねじ軸部のねじ溝に螺着されているため、軸受体の回転軸体からの脱落を適切に防止できる。
【００１３】
請求項３に係る発明によれば、複数の第１ナット体が隣接するもの同士が互いに締め合わされた状態で回転軸体の軸方向一端部に位置するねじ軸部のねじ溝に螺着されているため、伝動体の回転軸体からの脱落を適切に防止できるとともに、複数の第２ナット体が隣接するもの同士が互いに締め合わされた状態で回転軸体の軸方向他端部に位置するねじ軸部のねじ溝に螺着されているため、軸受体の回転軸体からの脱落を適切に防止できる。
【発明を実施するための最良の形態】
【００１４】
本発明の農作業機の一実施の形態を図面を参照して説明する。
【００１５】
図１および図２において、１は農作業機で、この農作業機１は、走行車であるトラクタ（図示せず）に連結された状態でトラクタの走行により圃場を前方に移動しながら農作業である耕耘整地作業をする耕耘整地装置である。
【００１６】
農作業機１は、左右方向に長手状の作業機本体２を備えている。
【００１７】
作業機本体２は３点連結部４を有し、３点連結部４が図示しないトラクタの後部の３点リンク部に連結されている。また、作業機本体２は左右方向中央に入力軸保持部（ギアボックス）５を有し、入力軸保持部５にはトラクタ側からの動力を入力する入力軸６が回転可能に設けられている。入力軸６はトラクタのＰＴＯ軸に伝動シャフト等を介して連結されている。
【００１８】
そして、作業機本体２には、入力軸６側からの動力に基づいて所定方向に回転しながら耕耘作業をする耕耘手段８およびこの耕耘手段８の後方位置で整地作業をする整地手段９が設けられている。
【００１９】
ここで、作業機本体２は、互いに離間対向した伝動ケースであるチェーンケース11および支持板であるブラケット12を左右両端部に有している。チェーンケース11の略箱状のケース本体部13の上下端部には、略円筒状の軸支持部（ボス部）14，15が固設され、この軸支持部14，15はケース本体部13の上下端部内面よりブラケット12側である内方に向って突出している。また、ブラケット12の略板状のブラケット本体部16の下端部には、略円筒状の軸支持部（ボス部）17が固設され、この軸支持部17はブラケット本体部16の下端部内面よりチェーンケース11側である内方に向って突出している。
【００２０】
そして、耕耘手段８は、チェーンケース11およびブラケット12間に回転可能に配設されこれらチェーンケース11およびブラケット12にわたって位置し左右方向に軸方向を有した回転軸体である耕耘軸体21を有している。
【００２１】
耕耘軸体21は、チェーンケース11の軸支持部15およびブラケット12の軸支持部17にてベアリング22，23および軸付シール24，25を介して回転可能に支持された左右方向に長手状の軸部26を有している。軸部26の外周部からは複数の爪用フランジ部27が突出している。そして、複数の爪用フランジ部27の各々には、耕耘軸体21とともに所定方向に回転して耕耘作業をする複数本の耕耘爪28がボルト29およびナット30にて着脱可能に取り付けられている。
【００２２】
また、耕耘軸体21は、チェーンケース11の下部内に配設され外周面にねじ溝31が形成されたねじ軸部32，33を軸方向両端部に有している。
【００２３】
耕耘軸体21の軸方向一端部近傍の外周つまりスプライン軸部34の外周には、環状の伝動体であるスプロケット35がスプライン嵌合により設けられ、このスプロケット35は環状の軸受体であるベアリング22に当接し、このベアリング22は軸部26に形成された段部分26aに当接して位置決めされている。
【００２４】
そして、図４および図５にも示されるように、耕耘軸体21の軸方向一端部に位置するねじ軸部32のねじ溝31には、スプロケット35の耕耘軸体21のスプライン軸部34からの脱落（抜出し）を防止する複数、例えば２つの第１ナット体（ダブルナット）36，36が螺着され、これら２つの第１ナット体36は隣接するもの同士が互いに締め合わされた状態となっている。すなわち、スプロケット35は、複数列に配置された２つの六角ナットである第１ナット体36にて耕耘軸体21の段部分26aに対してベアリング22を介在して固定されている。なお、従動側のスプロケット35は、チェーンケース11の下部内に配設されている。
【００２５】
一方、耕耘軸体21の軸方向他端部近傍の外周には、環状の軸受体であるベアリング23が嵌合されて設けられ、このベアリング23は軸部26に形成された段部分26aに当接して位置決めされている。
【００２６】
そして、図６にも示されるように、耕耘軸体21の軸方向他端部に位置するねじ軸部33のねじ溝31には、ベアリング23の耕耘軸体21の軸部26からの脱落（抜出し）を防止する複数、例えば２つの第２ナット体（ダブルナット）37，37が螺着され、これら２つの第２ナット体37は隣接するもの同士が互いに締め合わされた状態となっている。すなわち、ベアリング23は、複数列に配置された２つの六角ナットである第２ナット体37にて耕耘軸体21の段部分26aに対して固定されている。
【００２７】
また一方、図２に示されるように、作業機本体２は、入力軸保持部５から側方に向って突出した筒状部40を有し、筒状部40内には左右方向に軸方向を有した回転軸体である伝動軸体41が回転可能に配設されている。
【００２８】
伝動軸体41は、チェーンケース11の軸支持部14にてベアリング42および軸付シール43を介して回転可能に支持された左右方向に長手状の軸部44を有している。また、伝動軸体41は、チェーンケース11の上部内に配設され外周面にねじ溝51が形成されたねじ軸部52を軸方向一端部に有し、この伝動軸体41の軸方向他端部は図示しないギア部を介して入力軸６に連結されている。
【００２９】
そして、伝動軸体の軸方向一端部近傍の外周つまりスプライン軸部45の外周には、環状の伝動体であるスプロケット55がスプライン嵌合により設けられ、このスプロケット55は環状の軸受体であるベアリング42に当接し、このベアリング42は軸部44に形成された段部分44aに当接して位置決めされている。
【００３０】
そして、伝動軸体41の軸方向一端部に位置するねじ軸部52のねじ溝51には、スプロケット55の伝動軸体41のスプライン軸部45からの脱落（抜出し）を防止する複数、例えば２つの第３ナット体（ダブルナット）38，38が螺着され、これら２つの第３ナット体38は隣接するもの同士が互いに締め合わされた状態となっている。すなわち、スプロケット55は、複数列に配置された２つの六角ナットである第３ナット体38にて伝動軸体41の段部分44aに対してベアリング42を介して固定されている。なお、駆動側のスプロケット55は、チェーンケース11の上部内に配設されている。
【００３１】
図３に示されるように、チェーンケース11内で互いに離間対向したスプロケット35，55には無端体であるチェーン56が掛け渡され、このチェーン56は張力調節手段57にて所望の張力に調節されている。
【００３２】
なお、耕耘手段８は、耕耘軸体21および耕耘爪28等にて構成されている。整地手段９は、作業機本体２の耕耘カバー部61の後端部に上下回動可能に設けられた整地板62等にて構成されている。また、伝動軸体41、スプロケット35，55およびチェーン56等にて入力軸６からの動力を耕耘軸体21に伝達する動力伝達手段63が構成されている。さらに、図２から明らかなように、第１ナット体36はチェーンケース11の下部内に配設され、第３ナット体38はチェーンケース11の上部内に配設され、第２ナット体37はブラケット12に設けられたカバー65にて覆われている。
【００３３】
次に、上記農作業機１の作用等を説明する。
【００３４】
トラクタの走行によりトラクタとともに農作業機１を前方に移動させると、耕耘手段８の複数の耕耘爪28にて耕耘作業が行われ、耕耘手段８の後方位置では整地手段９の整地板62にて整地作業が行われる。
【００３５】
このような作業時に、２つの第１ナット体36、２つの第２ナット体37、および２つの第３ナット体38が振動等により緩んでしまうようなことがなく、スプロケット35，55の固定状態およびベアリング22，23，42の固定状態が維持される。
【００３６】
したがって、スプロケット55およびベアリング42の伝動軸体41からの脱落を適切に防止できるとともに、スプロケット35およびベアリング22，23の耕耘軸体21からの脱落を適切に防止でき、よって適切な耕耘整地作業ができる。
【００３７】
なお、上記一実施の形態では、耕耘軸体21の軸方向両端部および伝動軸体41の軸方向一端部の計３箇所にダブルナット36，37，38を取り付けた構成について説明したが、４箇所或いはそれ以上の個所にダブルナットを取り付けるようにしてもよい。
【００３８】
また、伝動体はスプロケット35，55には限定されず、ギア、プーリ等任意である。また軸受体であるベアリング22，23，42も玉軸受、ころ軸受等任意である。
【図面の簡単な説明】
【００３９】
【図１】本発明の農作業機の一実施の形態の側面図である。
【図２】同上農作業機の要部断面図である。
【図３】同上農作業機のチェーンケース内を示す図である。
【図４】同上農作業機の第１ナット体部分の断面図である。
【図５】同上第１ナット体の正面図である。
【図６】同上農作業機の第２ナット体部分の断面図である。
【符号の説明】
【００４０】
１    農作業機
21    回転軸体である耕耘軸体
22，23，42    軸受体であるベアリング
31，51    ねじ溝
32，33，52    ねじ軸部
35，55    伝動体であるスプロケット
36    ナット体である第１ナット体
37    ナット体である第２ナット体
38    ナット体である第３ナット体
41    回転軸体である伝動軸体
【図１】
2005333916.tif 000003
【図２】
2005333916.tif 000004
【図３】
2005333916.tif 000005
【図４】
2005333916.tif 000006
【図５】
2005333916.tif 000007
【図６】
2005333916.tif 000008